(57)【要約】【課題】予め意義付けられたＱＲコード等の２次元コードが複数存在する場合、どの様な関連情報をどの様な順番で入手するかについて明確になっていない。【解決手段】画面上の画像データを記録する画像データ格納部１０１と、特定パターンを記憶する特定パターン格納部１０２と、前記画像データと前記特定パターンの一致を判定する特定パターン判定部１０３と、一致したら前記特定パターンが保持する動作オブジェクトを動作ボタンとして生成するボタン生成部１０４と、前記動作ボタンを画面上に表示する表示処理部１０６を含んだ通信端末により、通信端末の画面上にユーザフレンドリーなボタンを生成する。【選択図】図１
2010117816.tif 000002
【特許請求の範囲】
【請求項１】
画面上の画像データを記録する画像データ格納部と、
ボタンの動作を行う動作オブジェクトと画像データの特徴を含む特定パターンを記憶する特定パターン格納部と、
前記画像データと前記特定パターンの画像データの特徴が一致するか否かを判定する特定パターン判定部と、
前記特定パターン判定部の判定結果が一致した場合、一致した前記特定パターンの動作オブジェクトを動作ボタンとして生成するボタン生成部と、
前記動作ボタンを表示部に表示する表示処理部と、
を具備する通信端末。
【請求項２】
前記画像データの輝度情報から画素を二値で表す二値画像データに変換する画像処理部と、
前記二値画像データを記憶する二値画像データ格納部と、を具備することを特徴とする請求項１記載の通信端末。
【請求項３】
前記特定パターンは、更に、前記動作ボタンの操作方法または少なくとも一つの画像データの特徴から構成されることを特徴とする請求項１または請求項２に記載の通信端末。
【請求項４】
前記特定パターン格納部は複数の特定パターンを記憶することを特徴とする請求項１から請求項３のいずれか一項に記載の通信端末。
【請求項５】
前記特定パターン判定部は、前記画像データに前記特定パターン格納部に記憶されている全ての前記特定パターンの画像データの特徴と一致するか否かを判定することを特徴とする請求項１から４のいずれか一項に記載の通信端末
【請求項６】
前記ボタン生成部は、前記特定パターン判定部の判定結果が一致した全ての前記特定パターンの動作ボタン生成することを特徴とする請求項５に記載の通信端末。
【請求項７】
当該画像処理端末は通信を行う通信部と、通信部の状態を判定する通信状態判定部を具備し、
前記特徴パターンは前記通信部が通信可能な場合の動作オブジェクトと不可能である場合の動作オブジェクトを有し、
前記ボタン生成部は前記通信状態判定部から通信可能であると判定した場合、前記通信可能な場合の動作オブジェクトを動作させ、前記通信状態判定部から通信不可能であると判定した場合、前記通信不可能な場合の動動作オブジェクトを動作させることを特徴とする請求項１から請求項６のいずれか一項に記載の通信端末。
【請求項８】
前記ボタン生成部は、前記動作ボタンの異なる操作により異なる動作オブジェクトを動作させることを特徴とする請求項１または請求項６記載の通信端末。
【請求項９】
前記動作ボタンの異なる操作は、ボタン短押し、ボタン長押し、ボタン上下擦り、ボタン左右擦りのいずれかであることを特徴とする請求項８記載の通信端末。
【請求項１０】
前記動作ボタンは、前記画像データの中に前記特定パターンと一致した文字列又は画像の特徴の表示位置を検出し、前記動作ボタンを表示部に表示する手段と、表示する際前記動作ボタンをユーザが操作できるものと簡単に判断できるような強調的な表示を行う強調表示手段を有する表示処理部を具備することを特徴とする請求項１記載の通信端末。
【請求項１１】
前記強調表示手段は、拡大表示、３D表示または点滅表示を行うことを特徴とする請求項１０記載の通信端末。
【請求項１２】
前記動作ボタン生成部にて、一つの前記特定パターンにより複数の動作ボタンが生成された場合には、複数の動作ボタンを表示部に表示する手段を特徴とする請求項１または請求項９記載の通信端末。
【発明の詳細な説明】
【技術分野】
【０００１】
本発明は、画像を利用することでユーザ操作を簡素化し、且つ、ユーザフレンドリーなインタフェースを提供する通信端末に関する。
【背景技術】
【０００２】
近年印刷された広告媒体やテレビコマーシャル等で、さらなる詳細情報を知るための方法が提供されており、ユーザがさらなる詳細内容を知りたい場合には、提供された方法を利用してＷｅｂ等へアクセスすることが頻繁に行われている。さらなる詳細情報を入手する方法として、２次元コードをカメラで撮像することでＷｅｂへアクセスする方法が提供されており、これによりユーザ操作を簡素化することができる。このような方法は、カメラ機能を有する通信端末において有効であることが知られている（例えば、特許文献１、特許文献２参照）。
【０００３】
ＱＲコード等の２次元コードで簡単にＷｅｂ等にアクセスすることができるが、ユーザは２次元コードに埋め込まれた特定先にアクセスするだけであり、ユーザ思考を反映することができない。
【０００４】
また、２次元コードは特殊加工されているので、ユーザが２次元コードを撮像することによって、通信端末がどの様な動作を行うのか予め想定することが難しい。
【特許文献１】特許第３８８８０４９号公報
【特許文献２】特開２００４−２３４４６５号公報
【発明の開示】
【発明が解決しようとする課題】
【０００５】
しかしながら、予め意義付けられたＱＲコード等の２次元コードを撮像し、自動的に撮像したものの関連情報をユーザに与えることになるが、意義付けられたものが複数存在する場合、どの様な関連情報をどの様な順番で入手するかについて明確になっていない。そのため、ユーザは、撮像する際に２次元コードを複数撮像しないように意識して撮像しなければならず、ユーザにとっては煩わしいこととなっている。
【０００６】
本発明は、ユーザ入力機能が簡素化されていることが多く、複雑な操作を簡単に実施することが難しい携帯端末において、画面上に表示している画像中から予め設定された特定パターンを抽出し、画面上に操作可能なボタンとして表示および配置することで、ユーザに対してボタンを直感的に操作可能な分かり易いインタフェースを提供することを目的としている。また、特定パターンが複数存在しても操作するボタンを選択することで、ユーザの意思を反映することができるユーザインタフェースを提供することを目的としている。
【課題を解決するための手段】
【０００７】
本発明の通信端末は、画面上の画像データを記録する画像データ格納部と、ボタンの動作を行う動作オブジェクトと画像データの特徴を含む特定パターンを記憶する特定パターン格納部と、前記画像データと前記特定パターンの画像データの特徴が一致するか否かを判定する特定パターン判定部と、前記特定パターン判定部の判定結果が一致した場合、一致した前記特定パターンの動作オブジェクトを動作ボタンとして生成するボタン生成部と、前記動作ボタンを表示部に表示する表示処理部と、を具備する構成を採る。この構成により、ユーザの操作が簡素化され、また、ユーザフレンドリーなインタフェースの提供により、ユーザが直感的に操作することができるという効果を有する。
【発明の効果】
【０００８】
本発明の通信端末によれば、ユーザの操作が簡素化され、また、ユーザフレンドリーなインタフェースの提供により、ユーザが直感的に操作することができるという効果を有する。
【発明を実施するための最良の形態】
【０００９】
以下、本発明を実施するための最良の形態について、図面を参照して詳細に説明する。
【００１０】
（実施の形態１）
図1は、本発明の実施の形態１に係る通信端末の構成を示すブロック図である。
【００１１】
画像データ格納部１０１は、画面上に出力された画像を画像処理部１０７により、画像の輝度情報から一画素を二値で表す画像データに変換し、変換された画像データを記憶する。具体的には、通信端末の画面上に、カメラ１１３で撮像している画像、メモリに保存してある画像、テレビ映像等を表示し、それら表示されている画像を画像処理部１０７にて、一画素単位ごとに輝度情報を二値化した画像データに変換し、二値化された画像データを画像データ格納部１０１に記録する。
【００１２】
特定パターン格納部１０２は、画像データ格納部１０１に記録された画像データに含まれる、文字列や画像の特徴、動作ボタンの役割、動作ボタンの操作方法、操作方法をユーザが行った際の動作を行う動作オブジェクトを含むデータ構造からなる特定パターンを記憶する。特定パターンは、複数存在し、これら複数の特定パターンを、特定パターン格納部１０２に記憶することが可能である。
【００１３】
特定パターン判定部１０３は、画像データ記憶部１０１に記憶されている画像データを読み出す。次に、画像データに含まれる文字列、画像の特徴から、特定パターン格納部１０２に記憶されている特定パターンの文字列、画像の特徴と一致するかを比較する。そして、比較結果に基づき、ボタン生成部１０４に対して特定パターンのボタン生成要求を行う。
【００１４】
ボタン生成部１０４は、特定パターン判定部からのボタン生成要求により、動作ボタンを生成する。例えばGUIツールキットのGTKを使ってボタンとなるウィジェットを生成し、ボタンに関するイベント（例えば、ボタン押下、ボタン長押し等）発生を通知するように設定する。
【００１５】
通信状態判定部１０５は、ボタン生成部１０４からの通信状態の取得要求によって通信状態を通知する。具体的には、通信状態判定部１０５は、通信部１０９から通信状態を通知され通信状態を保持しており、通信状態取得要求に対して通信状態を通知する。
【００１６】
表示処理部１０６は、ボタン生成部１０４にて生成された動作ボタンを画面への表示処理を行う。例えば、ボタンを３D表示させたり、ボタンを点滅させたり、ボタンを光らせたりすると同時に、表示効果も付け加え、表示部１１１に対してボタンを表示させる。
【００１７】
図2は、撮像した画像が、アンケート関するもの、検索に関するもの、商品の購入に関するもの等のいずれであるかを、どのような条件で特定し、どの様なボタンを生成するか等を示すものである。
【００１８】
ここで、特定パターンとは、撮像した画像がアンケート関するもの、検索に関するもの、商品の購入に関するものであるかを指す。特定パターンを特定するための条件としては、1つだけでも良く、複数あっても良い。
【００１９】
ここでは、例えば、図２を用いて説明すると、「条件１」とは、撮像した画像中にアクセス先を示すURLやQRコードが含まれているか、ボタンを生成するための判定条件である。「条件2」とは、ボタンを生成するに当たり、撮像した画像中に、疑問文を示す文字列や、検索を示す文字列が含まれているかを判定するための条件である。「条件3」とは、撮像した画像中に、選択肢を示す文字列が含まれているかを判定するための条件を示す。
【００２０】
特定パターンに応じて、（１）生成されるボタン、（２）生成されたボタンへのボタン操作（ボタン押下（短押し、長押し)、ボタン上下擦り、ボタン左右擦り等）、（３）ボタン操作による処理（アクセス先への回答、検索エンジンによる検索等）が決定される。
【００２１】
次に、図1の通信端末の動作について、図３を用いて説明する。図３は、通信端末のボタン作成のためのフロー図である。
【００２２】
画面上に表示している画像を画像処理部１０７にて画像データに変換を行う（S２００）。例えば、輝度情報から一画素を二値で表すデータに変換する。
【００２３】
次に、変換した画像データを画像データ格納部１０１に記憶する（S２０１）。例えば、メモリ上に画像データ格納部の記憶領域を確保し、領域内にデータを書き込む。
【００２４】
次に、制御部１１２が、画像データ格納部１０１から画像データを読み出す（S２０２）。
【００２５】
次に、制御部１１２が、特定パターン格納部１０２に記憶されている特定パターンが全て読み出されたのか確認する（S２０３）。
【００２６】
次に、S２０３で全て読み出していないと判断した場合、特定パターン格納部１０２から特定パターンに関する情報を読み出す（S２０４）。例えば、図2に示す、特定番号が「１」の「特定パターンを特定するための条件」、「生成ボタン、ボタン操作、ボタン操作による処理」を読み出す。
【００２７】
次に、特定パターン番号の値を増加させる（Ｓ２０５）
次に、S２０２にて読み出した画像データに含まれるデータが、S２０４にて読み出した特定パターンを特定するための条件に一致するかどうか比較する（S２０６）。具体的には、画像データの中に図２の一つの特定パターンを特定するための条件の条件１に一致するか、次に、条件２、条件３に一致するか比較する。そして、全ての条件が一致したら特定パターン一致と判断し、制御部１１２が、ボタン生成部１０４に対して一致した特定パターンのボタン生成要求を行う。
【００２８】
また、特定パターンを特定するための条件の条件１から条件3の一つでも一致しない場合、特定パターンと一致しなかったとして、新たな特定パターンを読み出すため、S２０３に戻る（Ｓ２０６）。
【００２９】
次に、S２０６にて特定パターンを特定するための条件の条件１から条件3の全てと一致したと判断した場合、制御部１１２からの特定パターンのボタン生成要求をボタン生成部１０４が受けて、ボタンを生成する（S２０７）。具体的には、ボタン生成要求により、制御部１１２が、ボタン生成部１０４にボタンを作成するように要求する。
【００３０】
なお、制御部１１２が、通信状態判定部２０５から通信状態を取得し、通信可能な状態の場合には、ボタン生成部１０４に特定パターンのボタンを作成するように要求しても良い。
【００３１】
また、なお、制御部１１２が、通信状態判定部２０５から通信状態を取得し、通信不可能な状態の場合には、ボタン生成部１０４に撮像した画像を保存するためのボタンを作成するよう要求しても良い。
【００３２】
なお、ここでは、説明を容易にするため、特定パターンを特定するための条件として、3つの条件を挙げて説明したが、適宜、条件の削除、追加を行い、ボタン生成をすることとしても良い。
【００３３】
次に、全ての特定パターンとの比較が終わり、制御部１１２が、ボタン生成処理が行われたかどうかを判断する（Ｓ２０８）。ボタン生成処理が行われた場合には、後述するＳ２０９以降の処理を行うよう、表示処理部１０６に要求する。ボタン生成処理が行われなかった場合には、表示処理部１０６への要求を行わず、ボタン作成のための処理を終了する。
【００３４】
次に、表示処理部１０６は、生成すべきボタンの位置を検出し、ボタンの表示位置を確定する（S２０９）。例えば、「検索」の文字列、「選択肢」の文字列といった、生成するボタンの対象となる文字列が存在する部分を画像データの中から検出し、検出した部分の位置を表示位置とする。
【００３５】
次に、画面データの表示位置に作成したボタンのデータを上書して（S２１０）、画像処理部１０７にて画像データを逆変換して画像化し（S２１１）、表示処理部１０６は、ボタン表示するために画面更新を行う（S２１２）。
【００３６】
次に、図1の通信端末の動作について、図４を用いて説明する。図４は、実施の形態１に係る通信端末の画面遷移図である。
【００３７】
広告媒体１０をカメラ１１３により撮像することで、画面１１が表示処理部１０６により表示部１１１に表示される。画面１１による画像データでは、画面１１上の領域１〜領域３に、それぞれ疑問文の文字列、回答の選択肢の文字列、アクセス先の文字列が含まれており、例えば、通信端末が保持する図２に示す特定パターンの「アンケート１」に一致する。これにより、回答の選択肢の文字列に該当する「選択肢」のボタンが生成され、画面１２に示すように表示部１１１の領域４に表示される。ユーザが選択肢の一つを選び、例えば、ボタンを押下することでボタン操作による処理を実施し、画面１３に示すように「回答完了」が表示される。
【００３８】
ここで、画面１２に含まれるボタン操作によるボタン操作による処理について図５を用いて説明する。図５は、実施の形態１に係るボタン操作による処理の動作を示すフロー図である。
【００３９】
ボタン処理部１０８において、ユーザによるボタン押下が検出される（S３００）。このときのボタン操作による処理は、図２に示す特定パターンの「アンケート１」のボタン動作オブジェクトが実施される。例えば、ボタン動作オブジェクトでは、アクセス先の文字列の利用しアクセス先とＨＴＴＰ通信を確立させ（Ｓ３０１）、回答として選択されたボタンの文字列を抽出し（S３０２）、その文字列を含むソースを作成しＨＴＭＬ化する（Ｓ３０３）。次に、ＨＴＭＬ化したデータをアクセス先に通信部１０９により送信し（Ｓ３０４）、画面１３に示す「回答完了」の画面を表示処理部１０６により表示部１１１で表示される（Ｓ３０５）。
【００４０】
（実施の形態２）
図６は、本発明の実施の形態２に係る通信端末の画面遷移図である。
【００４１】
図６に示す広告媒体２０をカメラ１１３により撮像することで、表示処理部１０６により、画面２１が表示部１１１で表示される。画面２１による画像データでは、領域５に検索する文字列を入力するためのＢＯＸ（以下、検索ＢＯＸ）、領域６に“検索”文字列が含まれており、例えば、通信端末が保持する図２に示す特定パターンの「検索１」に一致する。これにより、画面２２に示すような、領域７に「検索」ボタンが生成された画面表示部１１１で表示される。そして、ユーザが生成された「検索」ボタンを押下することでボタン操作による処理を実施し、検索サイトへアクセスし、画面２３に示すような検索結果が表示される。
【００４２】
（実施の形態３）
図７は、本発明の実施の形態３に係る通信端末の画面遷移図である。
【００４３】
図７に示す広告媒体３０は、図6の広告媒体２０に比べて、検索ＢＯＸと“検索”文字列が、それぞれ複数個含まれている。このため、図２の特定パターンの「検索１」が複数存在している。このとき広告媒体３０をカメラ１１３により撮像することで、画面３１が表示処理部１０６により表示部１１１で表示される。画面３１による画像データでは、検索ＢＯＸと“検索”文字列が複数含まれており、例えば、通信端末が保持する図２に示す特定パターンの「検索１」に複数一致する。これにより、画面３２に示すように、領域８に複数の検索ボタンが生成され、表示部１１１に表示される。例えば、ユーザが、生成された複数の「検索」ボタンの内の一つのボタンを選択し、押下することでボタン操作による処理を実施し、検索サイトへアクセスし、画面３３に示すような検索結果が表示される。
【００４４】
（実施の形態４）
図８は、本発明の実施の形態４に係る通信端末の画面遷移図である。
【００４５】
図８に示す画面４１は、図６に示す広告媒体２０をカメラ１１３により撮像したものであり、画面２１と同じである。画面４１には、画面２１と同様に検索ＢＯＸと“検索”文字列が含まれている。画面４２では、図２に含まれる特定パターンの「検索２」によりボタン生成を行った場合を示しており、“検索”文字列から、複数の検索エンジンでの検索が行えるように、領域９に複数の「検索」ボタンを生成する。そして、「押下」するボタンに応じて、異なる検索エンジンによる検索を実行し、画面４３〜画面４５に示すような検索結果が表示される。
【００４６】
なお、図２に含まれる特定パターンの「検索１」と「検索２」はユーザによってどちらかを選択することができ、実施の形態２と実施の形態４を使い分けることができる。
【００４７】
（実施の形態５）
図９は、本発明の実施の形態５に係る通信端末の画面遷移図である。
【００４８】
図９に示す画面５２は、図６に示す広告媒体２０をカメラ１１３により撮像したものであり、画面２２と同じである。画面５２には、画面２２と同様に検索ＢＯＸと“検索”文字列が含まれている。画面５２では、図２に含まれる特定パターンの「検索１」によりボタン生成を行った場合を示しており、“検索”文字列から検索ボタンを生成させている。画面５２において検索ボタンを短押しする場合と、長押しする場合で画面遷移が異なる。「短押し」した場合には、第一の検索エンジンを使って検索を実施し、画面５３を表示させる。「長押し」した場合には、第二の検索エンジンを使って検索を実施し画面５４を表示させる。
【００４９】
ここで、画面５２に含まれるボタン操作によるボタン操作による処理について、図１０を用いて説明する。図１０（ａ）、（ｂ）は、第５の実施形態に係るボタン操作による処理の動作を示すフロー図である。
【００５０】
まず、図１０（ａ）のフローを用いて説明する。ボタン処理部１０８において、ユーザによるボタンの「短押し」が検出される（S５００）。ボタンの「短押し」による動作は、検索ＢＯＸ枠内から検索キーとなる文字列を抽出（Ｓ５０１）、ブラウザアプリを起動し（Ｓ５０２）、第一の検索エンジンのサーバに接続する（Ｓ５０３）。次に、第一の検索エンジンを使って抽出した検索キーを入力し（Ｓ５０４）、通信部１０９より第一の検索サーバに送信する（Ｓ５０５）。第一の検索エンジンのサーバからの検索結果を通信部１０９が受信し、制御部１１２が表示部１１１に検索結果を表示させる（Ｓ５０６）。
【００５１】
次に、図１０（ｂ）のフローを用いて説明する。ボタン処理部１０８において、ユーザによるボタンの「長押し」が検出される（S５１０）。ボタンの「長押し」による動作は、検索ＢＯＸ枠内から検索キーとなる文字列を抽出し（Ｓ５１１）、ブラウザアプリを起動し（Ｓ５１２）、第二の検索エンジンのサーバに接続する（Ｓ５１３）。次に、第二の検索エンジンを使って抽出した検索キーを入力し（Ｓ５１４）、通信部１０９より第二の検索サーバに送信する（Ｓ５１５）。第二の検索エンジンのサーバからの検索結果を通信部１０９が受信し、制御部１１２が表示部１１１に検索結果を表示させる（Ｓ５１６）。
【００５２】
（実施の形態６）
図１１は、本発明の実施の形態６に係る通信端末の画面遷移図である。
【００５３】
広告媒体６０をカメラ１１３により撮像することで、画面６１が表示処理部１０６により表示部１１１に表示される。画面６１による画像データには、領域１０に商品の画像が含まれており、例えば、通信端末が保持する図２に示す特定パターンの「購入」に一致する。これにより、領域１１に、ネットショッピングを行うための「購入」のボタンが生成され画面６２が表示部１１１に表示される。例えば、生成されたボタンを押下することでボタン操作による処理を実施し、画面６３のネットショッピング用のＷｅｂページでの商品検索結果が表示される。
【００５４】
また、画面６２に示すように複数のネットショッピング用のＷｅｂページがユーザに選択できるように複数のボタンを表示ようにしても良い。
【００５５】
また、異なるボタン操作（ボタン短押し、ボタン長押し、ボタン上下擦り、ボタン左右擦り等）により、異なるネットショッピング用のＷｅｂページにより商品検索結果を表示するようにしても良い。
【００５６】
ここで、画面６２に含まれるボタン操作によるボタン操作による処理について図１２を用いて説明する。図１２は、実施の形態６に係るボタン操作による処理の動作を示すフロー図である。
【００５７】
ボタン処理部１０８において、ユーザによるボタン押下が検出される（S６００）。ボタン押下による動作は、購入対象となる商品の画像を抽出し（Ｓ６０１）、画像を使って商品名を抽出する（Ｓ６０２）。例えば、画像サーバに対して画像を送信し商品名を問い合わせる。次に、商品名が取得できた場合に、ブラウザを起動し（Ｓ６０３）、ネットショッピングのＷｅｂページに接続する（Ｓ６０４）。ネットショッピング用のＷｅｂページを使って抽出した商品名を入力し（Ｓ６０５）、通信部１０９よりネットショッピング用のＷｅｂサーバに送信する（Ｓ６０６）。ネットショッピング用のＷｅｂサーバからの商品検索結果を通信部１０９が受信し、制御部１１２が表示部１１１に検索結果を表示させる（Ｓ６０７）。
【００５８】
なお、本発明は、上記各実施の形態に限定されるものではなく、実施段階ではその要旨を逸脱しない範囲で種々に変形することが可能である。さらに、上記実施形態には種々の段階の発明が含まれており、開示される複数の構成要件における適宜な組み合わせにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【産業上の利用可能性】
【００５９】
本発明に係る通信端末では、カメラやテレビ等により画面上に表示している画像において、ユーザ操作可能なボタンを生成し、直接ボタンを操作することができるため、ユーザに対して直感的にボタン操作することができるというユーザフレンドリーなインタフェースを提供することができる。
【００６０】
また、多様なボタン操作方法（ボタン短押し、ボタン長押し、ボタン上下擦り、ボタン左右擦り）を提供し、一つの画像に対しても異なる動作を行えるようにすることで、同じ画像であってもユーザに対して選択可能なインタフェースを与えることができる。また、一つの画像に対して異なる動作を行えるボタンを複数設けることで、同じ画像であってもユーザに対して選択可能なインタフェースを与えることができる。
【図面の簡単な説明】
【００６１】
【図１】本発明の実施の形態１に係る通信端末の構成を示すブロック図
【図２】本発明の実施の形態１に係る特定パターンのデータ構成を示す図
【図３】本発明の実施の形態１に係る通信端末のボタン作成のためのフロー図
【図４】本発明の実施の形態１に係る通信端末の画面遷移図
【図５】本発明の実施の形態１に係るボタン操作による処理の動作を示すフロー図
【図６】本発明の実施の形態２に係る通信端末の画面遷移図
【図７】本発明の実施の形態３に係る通信端末の画面遷移図
【図８】本発明の実施の形態４に係る通信端末の画面遷移図
【図９】本発明の実施の形態５に係る通信端末の画面遷移図
【図１０】本発明の実施の形態５に係るボタン操作による処理の動作を示すフロー図
【図１１】本発明の実施の形態６に係る通信端末の画面遷移図
【図１２】本発明の実施の形態６に係るボタン操作による処理の動作を示すフロー図
【符号の説明】
【００６２】
１００    通信端末
１０１    画像データ格納部
１０２    特定パターン格納部
１０３    特定パターン判定部
１０４    ボタン生成部
１０５    通信状態判定部
１０６    表示処理部
１０７    画像処理部
１０８    ボタン処理部
１０９    通信部
１１０    操作部
１１１    表示部
１１２    制御部
１１３    カメラ
【図１】
2010117816.tif 000003
【図２】
2010117816.tif 000004
【図３】
2010117816.tif 000005
【図４】
2010117816.tif 000006
【図５】
2010117816.tif 000007
【図６】
2010117816.tif 000008
【図７】
2010117816.tif 000009
【図８】
2010117816.tif 000010
【図９】
2010117816.tif 000011
【図１０】
2010117816.tif 000012
【図１１】
2010117816.tif 000013
【図１２】
2010117816.tif 000014